(57)【要約】      （修正有）【課題】家の中でスリッパの上に、又はスニーカーの中へ入れて、通勤、通学、履物全般に利用できる多目的インソールマッサージ装置を提供する。【解決手段】インソール１の上に３半楕円球体３が自由に動き回れる様に敷物スライド板５を設置固定した、その上に３半楕円球体の平面の方を上に向け球体部分を下に向け乗せ６布で覆いかぶせ周りを縫製の後、半楕円球体を多少制御する為７布を十文字に区切りの縫製を、ゆとりを持って固定した。２小珠は足の指と同じようにカーブをつけ、指の付根の所に当たる様に小珠を紐で連珠し、インソールに設置後インソール全体を布で覆いかぶせ縫製を施した。マッサージ効果が足りない場合には半楕円球体を反転、調整出来るインソールマッサージ装置。【選択図】図１
2016087372.tif 000002
【特許請求の範囲】
【請求項１】
指の付け根と指の腹及び土踏まず部位をマッサージの為に構成されたインソールマッサージ装置
【請求項２】
指の付け根と指の腹をマッサージさせる為に小珠を連珠させ左右を指の付け根に添うよう緩やかにインソールに固定したことを特徴とする請求項１に記載のインソールマッサージ装置
【請求項３】
半楕円球体が一定の範囲内を自由に動き土踏まず部分をマッサージできるようにスライド板を設置したことを特徴とする請求項１または請求項２に記載のインソールマッサージ装置
【請求項４】
半楕円球体を用いているので円形を上にも下にも向けることが出来る事を特徴とするインソールマッサージ装置
【請求項５】
半楕円球体の動きを制御の為に仕切りを施したことを特徴とする請求項３〜４のいずれかに記載のインソールマッサージ装置
【請求項６】
インソールは薄いゴムを使用、簡単に履物から履物えインソールを変えられる事が出来るのでスリッパや運動靴、通勤通学等多目的であることを特徴とする請求項１〜５のいずれかに記載のインソールマッサージ装置、
【発明の詳細な説明】
【技術分野】
【０００１】  本発明はインソールマッサージ装置に関し、足裏から血行を良くして体全体の健康を維持出来る様に、又個人差のある足裏にマッサージが行なわれるようインソールマッサージ部分を改良した装置に関するものである。
【背景技術】
【０００２】  インソール自体、始めの目的は歩行中足の骨や筋肉に負担の掛らない様に又汗取りや臭い消し等を考えて出来た物と思いますが最近では健康を主体としてインソールを加工電気を利用している品物、磁気を発している物、液体を出して目的を達しようとする物もある、又、土踏まずの部分に円形の凹凸を設置加工した物、インソール全体に凹凸を付けた物等様々の品物が開発されていることは確かである。しかし、電気の使用や磁気や液体を使用している物等は普及していない又、インソール全体に凹凸がついている品物等は、人により使用時マッサージに必要のない場所が痛く感じる物、素足では痛くて使用できないもの、立ち仕事で長時間は使用不可能などの欠点が伺える。お年寄りから子供まで使用できる品物が開発されておらず又、個人個人の足裏に合った物ではなく現時点に留まっている。【０００３】  足裏の土踏まずの部分から指の付け根、指先の腹まで、血行をよくし体全体を健康て過ごせる様に、親指から小指まで又、付け根の部分までしっかりとマッサージが出来る事が望ましい。
【先行技術文献】
【特許文献】
【０００４】
【特許文献１】特開２００６−３２６２５７号公報
【特許文献２】特開平１１−４７０３号公報
【特許文献３】特開２０００−４９０２号公報
【発明の概要】
【発明が解決しようとする課題】
【０００５】  上記特許文献１の発明は、木製の凹凸物の上に何のカバーもなく、長時間の立ち仕事等の使用は不可能と思われるし、文献内容お実施するための形態で記述されているように２３センチ程度の足の大きさの人に限られている、子供には実施出来無い、指の指圧は可能でも付根の所までは屆かづ又、各種の靴の中や家庭にあるスリッパの中など使用出来ず、多目的でなく不満足である【０００６】  上記特許文献２の発明は、課題を解決するための手段で記述されている様に常温靴内温度が３０から４０度で原状回復するとなっており、所謂それまでは使用しても目的が達成しないことになる、所謂、夏場は熱く、冬場の室内等寒いところでは、マッサージ、指圧効果など発揮せずに終わってしまう、なお土踏まずの中心部に圧がかかりすぎ両脇までの隅々まで行き届かず、一定の場所に限られる、又マッサージで大切な指の付け根までは届かず不満足である、【０００７】  上記特許文献３の発明は、履物であり本発明とは掛け離れている物である、インソールと違い靴の中やスリッパ等、多目的に使用出来ないし、使用目的が指のマッサージのみである、指の付け根までは効果が見当たらないのも不満である。【０００８】  本発明は、以上に述べたような従来技術の諸欠点を、解決しようとするものである、インソールの製造過程において全面的に凹凸が付いているため、足裏のかかとや、ふくらはぎの部分など、皮膚が敏感な人には痛く感じられる欠点がうかがえる。その為、あまり尖ったものでなく、長時間使用可能で、素足でも大丈夫な位の優しい凹凸物を提供している。【０００９】  又、従来技術では足裏の土踏まずの部分をマッサージする目的で、凹凸はついているが、土踏まず全体をカバー出来るものではない。本発明は土踏まず全体を、マッサージ出来る様に凹凸物が動く構造になっており、足裏が痛くないよう、インソールマッサージ装置を提供する事を目的としている。【００１０】  子供の履物からお年寄りまで、通勤、通学、そして１日中立ち仕事の方や椅子に座っての仕事の方、主婦が家でスリッパ使用時でも常に使用できる状態でマッサージ効果のある多目的インソールマッサージ装置を提供する事を目的としている。そのような観点からも足裏の土踏まずから、指の付根ねの部分指の腹に至るまで凹凸物は、一個一個が足の動きに合わせられる様にインソールマッサージ装置を提供し、効果があることを目的としている。
【課題を解決するための手段】
【００１１】  インソールの材質にはゴムを使用し、スリッパ、運動靴、通勤通学など簡単にイソールの入れ替えがスムースに，又いちいち靴紐の調整をしなくても済むようにとの観点から厚さも出来るだけ制限した。なお、自転車のチューブも使用可能であり産業破棄物を少なくする手助けになる。【００１２】  インソールの土踏まずの部位に当たる場所へ、プラスチックの敷物を充てがいイソールに接着、凹凸物でもある半楕円球体の円形部分を下に、平の方が上に向くようにプラスチックの敷物の上に設置した、その事により半楕円球体は前後左右に足の動きと共に動き回り、一定の場所のみのマッサージでなく、あらゆる部分に行き届く様にした。その半楕円球体は布で覆いかぶせて自由に動き回れる程度に布の四方を固定した。【００１３】  凹凸物でもある半楕円球体の材質はプラスチックとし、半円形でなく楕円形の製品に変える事により足裏に当たる一個一個の面積が大きくなり痛みをともなわずマッサージ効果が現れる、又体が傾いても安定感が感じられる【００１４】  足が傾いた時、土踏まずの半楕円球体が、一方え集まらないよう被せた布を十文字小袋に仕切り半楕円球体の動きを多少制御した。但し、半楕円球体の種類によっては二等分、三等分等もありうる。【００１５】  足の指が個々の動きを感じマッサージするようにと、凹凸の付いた固形物をインールに固定するのでなく、一個一個の弾力のある柔らかいポリエステルやシリコン等の材料とした小珠を紐で連珠させ、両端の紐をインソールに固定した、連珠された小珠は、足指で握り締めても、一個一個の動きが分かる程緩やかに感じ取れるようセットしてある。【００１６】  インソールの上に設置した、足指の付け根の部分の弾力のある柔らかい小珠及土踏まずの部分に設置した半楕円球体をカバーするように、インソール全体を布で覆いかぶせて、インソール本体の淵で、縫製固定した。
【発明の効果】
【００１７】  本発明によるインソールマッサージ装置は、足の指まで、又土踏まずの隅々まで使用時にはマッサージ効果が現れ、長時間使用しても布でカバーしてあるので痛みがなく、土踏まずの場所に当たる半楕円球体と指の付け根にあたる部分の弾力のあるやわらかい小珠とが塊でなく一個一個単独なので、別々の動きをしてくれている為、全体的にバランスよく、働いている。また、使用中に土踏まずにもっと刺激の欲しい時には、インソールがゴムでてきており自由に折り曲げができるので半楕円球体を布地の上から円形部分を上に向ける事も指で無理なく変更出来る、各袋の中の一個づつでもよし、全てでもよし反転可能であることも特徴であるし効果は抜群の役目をはたしている。【００１８】  足の指を自由に動かしても、使用する人に合わせていつも指の付け根に弾力のあるやわらかい小珠の一つ一つが一緒について来てくれるので、役目を果たしている、【００１９】  インソール全体を布で覆いかぶせる事により指の所に設置した小珠が直接当ることなく痛みも感じず土踏まずの所は布が二重になり、汗取りの役目をも果たしている、インソールのふちを縫製した【００２０】  家庭でスリッパの上に、通勤通学、職場で、朝、夕方のランニングにと履物に対応できるインソールマッサージ装置です。又、学校で職場で足指の運動をすることにより、付け根の部分までマッサージ出来るので、血流が良くなり頭脳も活発になりうることでしょう、この効果はお年寄りにも相乗効果があり役目をはたしている。
【図面の簡単な説明】
【００２１】
【図１】図１は、本発明に係わるインソールマッサージ装置１の平面図である
【図２】図２は、図１に示したインソールマッサージ装置本体２の断面図である。
【図３】先行技術文献参考図である  ▲１▼公開番号  特許公開２００６−３２６２５７  ▲２▼公開番号  特許公開  平１１−４７０３  ▲３▼公開番号  特許公開２０００−４９０２
【発明を実施するための形態】
【００２２】  以下、図面に沿って本発明に係わるインソールマッサージ装置の実施形態について説明する、図１（本考案係わるインソールマッサージ装置１の平面図）に示すようにこのインソール１の上にマッサージ目的として小珠２半楕円球体３を設置したものである。
【００２３】  インソール１（図２断面図１）をスリッパでの使用から、紐付きのスニーカーや通勤時の靴等に履替える度に紐を調整する事なく、柔らかい厚みが無い、スムーズにインソール１を履物ごとに変えられる様、インソール１の材質にはゴムを使用している。
【００２４】  インソール１（図２断面図１）にスライド板５（図２断面図５）を設置、接着剤で固定させた、マッサージ効果を出す為の半楕円球体３（図２断面図３）を乗せた時に前後左右に動ける事を目的としている。
【００２５】  半楕円球体３（図２断面図３）は一個一個が独立している、いわゆる塊の固形物ではないでスライド板５（図２断面図５）上で一個一個がスライドし平面の方が足裏の向きに常に向き合っているので痛みがなくマッサージの役目を果たすようになっている。
【００２６】  半楕円球体３（図２断面図３）は人により平面の方が上に向いているとマッサージが弱く感じる人も、その時はインソール１（図２断面図１）がゴムで出来ているので指で半楕円球体３（図２断面図）の平面を下に向け半楕円球３（図２断面図３）の円形部分を上に向け使用する事も可能である。その時の状況で交互にしても良い。
【００２７】  スライド板５（図２断面図５）の上に乗せた半楕円球体３（図２断面図３）に仕切り布６（図２断面図６）をかぶせて自由に半楕円球体３（図２断面図３）が動く様に、ゆとりを持って四方を固定、十文字仕切り跡７（図２断面図７）が示すように十文字に区切りを施したものである
【００２８】  足親指から小指までの小珠２（図２断面図２）は指の腹から付根の部分までマッサージさせる役目を背負っている、小珠２（図２断面図２）は、一個一個の弾力のある柔らかい材質としてポリエステルやシリコン等応用出来る物を使用、穴に紐で連珠し、両端の紐４（図２に示せず）をある程度ゆとりを持たせて固定したので個人個人の弓なりの形に合わせられる様になっている。
【００２９】  指のマッサージ小珠２（図２断面図２）と土踏まずのマッサージ半楕円球体３（図２断面図３）を含めて、インソール１（図２断面図１）すべてを布８（図２断面図８）で覆いかぶせて縫製したものである。
【００３０】  以上述べたように、このインソールマッサージ装置は、半楕円球体３（図２断面図３）が動いてくれるので、士踏まずに優しい圧が係り、万遍なく隅々まで気持ちよさが感じられるる事が特徴である、足の指の所は、手で揉まれても最高に気持ち良い場所である。しかし忘れられていた部分でもある、立ち仕事でも、椅子に座っていてもいつでも指先を動かして指圧の出来る部分であり、マッサージ効果は抜群と考えられる。特に指の付け根の部分は、薄皮で出きている為に、優しさが必要と同時に、神経が過敏な場所だけにマッサージを施すと、最高の場所である小珠２（図２断面図２）で示すように足の指の付根、足の指の腹の当て物として特に弾力のある柔らかい物を使用、そして土踏まずの部分小珠２（図２断面図２）と半楕円球体３（図２断面図３）が、一同に働くので最高の効果が伺えるのが、特徴である。足の指を動かしてマッサージをする事により睡魔を除ける事も出来る、自動車の運転や会社勤務中の疲れスクールでの頭の体操と共に居眠りからも開放されるものと思われる。
【符号の説明】
【００３１】１：  インソール
２：  小珠
３：  半楕円球体
４：  連珠紐
５：  スライド板
６：  仕切り布
７：  十文字仕切り跡
８：  インソール防護布
【図１】
2016087372.tif 000003
【図２】
2016087372.tif 000004
【図３】
2016087372.tif 000005